(57)【要約】      （修正有）【課題】フィルターを介して水分が蒸発しても、フィルターの下流に保持された液体が短時間で増粘するのを抑制すると共に気泡排出性を向上する流路部材、液体噴射ヘッド及び液体噴射装置を提供する。【解決手段】ヘッド本体４０に液体を供給する液体供給路３１１と、液体供給路の一方が開口すると共に液体供給手段が取り付けられる取付部３１６と、が設けられた流路部材本体３１０と、液体供給路の開口を覆うフィルター３１７と、取付部の周囲に亘って設けられて弾性材料で形成されたシール部材３３０と、を具備し、フィルターの下流の液体供給路には、バッファー室３１８が設けられ、フィルターの面方向においてバッファー室の少なくとも下流の液体供給路の開口からの距離が遠い領域に、バッファー室よりもフィルターまでの距離が近い壁面３１９ａを有し且つフィルターの面方向の幅がバッファー室よりも広い幅を有する気泡排出部３１９が設けられている。【選択図】図２
2014012370.tif 000002
【特許請求の範囲】
【請求項１】
液体を吐出するヘッド本体に液体を供給する液体供給路と、該液体供給路の一方が開口すると共に当該液体供給路の液体を供給する液体供給手段が取り付けられる取付部と、が設けられた流路部材本体と、
前記取付部に固定されて、前記液体供給路の開口を覆うフィルターと、
前記取付部の周囲に亘って設けられて弾性材料で形成されたシール部材と、を具備し、
前記フィルターの下流の前記液体供給路には、バッファー室が設けられており、前記フィルターの面方向において前記バッファー室の少なくとも下流の前記液体供給路の開口からの距離が遠い領域に、当該バッファー室よりも前記フィルターまでの距離が近い壁面を有し且つ前記フィルターの面方向の幅が前記バッファー室よりも広い幅を有する気泡排出部が設けられていることを特徴とする流路部材。
【請求項２】
前記気泡排出部が前記バッファー室の周方向に亘って連続して設けられていることを特徴とする請求項１記載の流路部材。
【請求項３】
前記気泡排出部を画成する前記壁面は、前記フィルターの面方向に直交する方向の前記フィルターからの距離は、前記フィルターの面方向において同じ距離で設けられていることを特徴とする請求項１又は２記載の流路部材。
【請求項４】
請求項１〜３の何れか一項に記載の流路部材と、ヘッド本体と、を具備することを特徴とする液体噴射ヘッド。
【請求項５】
請求項４に記載の液体噴射ヘッドを具備することを特徴とする液体噴射装置。
【発明の詳細な説明】
【技術分野】
【０００１】
本発明は、ノズル開口から液体を吐出するヘッド本体に液体を供給する流路部材、流路部材を具備する液体噴射ヘッド及び液体噴射ヘッドを具備する液体噴射装置に関する。
【背景技術】
【０００２】
液滴を吐出する液体噴射ヘッドの代表例としては、インク滴を吐出するインクジェット式記録ヘッドが挙げられる。このインクジェット式記録ヘッドとしては、例えば、インク滴をノズル開口から吐出するヘッド本体と、ヘッド本体が固定されると共に、インクが貯留されたインクカートリッジ（液体供給手段）が着脱可能に設けられて、インクカートリッジからのインクをヘッド本体に供給する流路部材と、を具備するものが提案されている（例えば、特許文献１参照）。
【０００３】
この特許文献１によれば、インクカートリッジに多孔質材料などで形成された圧接体からなる供給部を設け、この供給部を流路部材に設けられたフィルターに圧接すると共に圧接体とフィルターとの周囲をシール部材でシールすることで、インクカートリッジと流路部材とが接続される。
【先行技術文献】
【特許文献】
【０００４】
【特許文献１】特開２００７−１５２７２号公報
【発明の概要】
【発明が解決しようとする課題】
【０００５】
しかしながら、インクカートリッジが流路部材から取り外された状態では、フィルターが露出されるため、フィルターを介して流路内のインクの水分が蒸発してしまう。特にインクとして顔料インクを用いた場合には、インクが増粘してゲル化又は固着してしまうという問題がある。
【０００６】
なお、このような問題はインクジェット式記録ヘッドに用いられる流路部材に限定されず、インク以外の液体噴射ヘッドに用いられる流路部材においても同様に存在する。
【０００７】
本発明はこのような事情に鑑み、フィルターを介して水分が蒸発しても、フィルターの下流に保持された液体が短時間で増粘するのを抑制することができると共に気泡排出性を向上することができる流路部材、液体噴射ヘッド及び液体噴射装置を提供することを目的とする。
【課題を解決するための手段】
【０００８】
上記課題を解決する本発明の態様は、液体を吐出するヘッド本体に液体を供給する液体供給路と、該液体供給路の一方が開口すると共に当該液体供給路の液体を供給する液体供給手段が取り付けられる取付部と、が設けられた流路部材本体と、前記取付部に固定されて、前記液体供給路の開口を覆うフィルターと、前記取付部の周囲に亘って設けられて弾性材料で形成されたシール部材と、を具備し、前記フィルターの下流の前記液体供給路には、バッファー室が設けられており、前記フィルターの面方向において前記バッファー室の少なくとも下流の前記液体供給路の開口からの距離が遠い領域に、当該バッファー室よりも前記フィルターまでの距離が近い壁面を有し且つ前記フィルターの面方向の幅が前記バッファー室よりも広い幅を有する気泡排出部が設けられていることを特徴とする流路部材にある。
かかる態様では、バッファー室を設けることによって、フィルターからの水分蒸発によってフィルターの下流に保持された液体が短時間で増粘してゲル化又は固着するのを抑制することができる。また、バッファー室を設けることによって気泡排出性が低下するものの、気泡排出部を設けることによって、気泡排出部を流れる液体の流速を速くすることができ、気泡排出性を向上することができる。
【０００９】
ここで、前記気泡排出部が前記バッファー室の周方向に亘って連続して設けられていることが好ましい。これによれば、気泡排出部を断続的に設ける場合に比べて、気泡の滞留し易い領域を減少させることができる。
【００１０】
また、前記気泡排出部を画成する前記壁面は、前記フィルターの面方向に直交する方向の前記フィルターからの距離は、前記フィルターの面方向において同じ距離で設けられていることが好ましい。これによれば、フィルターの下流に保持される液体の量を増大させて、水分蒸発による短時間の増粘を抑制することができる。
【００１１】
さらに、本発明の他の態様は、上記態様に記載の流路部材と、ヘッド本体と、を具備することを特徴とする液体噴射ヘッドにある。
かかる態様では、液体の短時間の増粘による吐出不良を抑制した液体噴射ヘッドを実現できる。
【００１２】
また、本発明の他の態様は、上記態様の液体噴射ヘッドを具備することを特徴とする液体噴射装置にある。
かかる態様では、液体の短時間の増粘による吐出不良を抑制した液体噴射ヘッドを実現できる。
【図面の簡単な説明】
【００１３】
【図１】実施形態１に係る記録ヘッドの分解斜視図である。
【図２】実施形態１に係る記録ヘッドの断面図及び要部拡大断面図である。
【図３】実施形態１に係るシール部材の斜視図である。
【図４】実施形態１に係るインクカートリッジを流路部材に装着する方法を示す断面図である。
【図５】本発明の一実施形態に係る記録装置の概略図である。
【発明を実施するための形態】
【００１４】
以下に本発明を実施形態に基づいて詳細に説明する。
（実施形態１）
図１は、本発明の実施形態１に係る液体噴射ヘッドであるインクジェット式記録ヘッドを分解した斜視図であり、図２は、インクジェット式記録ヘッドの断面図及びその要部を拡大した図である。
【００１５】
図示するように、本実施形態のインクジェット式記録ヘッド１０は、液体としてインクを貯留した液体貯留手段であるインクカートリッジ２０が着脱される流路部材３０と、流路部材３０に固定されたヘッド本体４０と、を具備する。
【００１６】
流路部材３０は、流路部材本体３１０と、流路部材本体３１０に設けられたシール部材３３０と、を具備する。
【００１７】
流路部材本体３１０は、内部に液体であるインクが通過する液体供給路３１１が設けられ、液体供給路３１１が開口する一方面にはインクカートリッジ２０が装着されるカートリッジ装着部３１２が設けられている。本実施形態では、カートリッジ装着部３１２には、４つのインクカートリッジ２０が装着されるようになっている。
【００１８】
カートリッジ装着部３１２は、周囲を壁部３１３で囲まれており、壁部３１３の相対向する一対の壁面のうち、一方の壁面には厚さ方向に貫通した第１係合穴３１４が設けられている。また、第１係合穴３１４が設けられた壁面に相対向する他方の壁面には、厚さ方向に貫通した第２係合穴３１５が設けられている。
【００１９】
これら第１係合穴３１４及び第２係合穴３１５に詳しくは後述するインクカートリッジ２０の第１係合爪２４及び第２係合爪２５が係合することで、カートリッジ装着部３１２にインクカートリッジ２０が固定される。
【００２０】
なお、本実施形態では、カートリッジ装着部３１２には４つのインクカートリッジ２０が装着されるため、各インクカートリッジ２０の間には仕切り板３１３ａが設けられている。
【００２１】
また、流路部材本体３１０のカートリッジ装着部３１２には、円柱状に突出した取付部３１６が設けられている。本実施形態では、カートリッジ装着部３１２に４つのインクカートリッジ２０が固定されるため、取付部３１６は４個設けられている。この取付部３１６には、先端面に開口する液体供給路３１１が設けられた円筒形状を有しており、液体供給路３１１が開口する突出した先端面には液体供給路３１１の開口を覆うフィルター３１７が設けられている。
【００２２】
フィルター３１７は、液体であるインク中に含まれる異物や気泡を除去するためのものであり、例えば、金属や樹脂等の繊維を細かく編むことで複数の微細孔が形成されたシート状のものや、金属や樹脂等の板状部材に複数の微細孔を貫通させたものなどを用いることができる。なお、フィルター３１７は、不織布等を用いてもよく、その材料は特に限定されるものではない。
【００２３】
このフィルター３１７は、円盤形状を有し、取付部３１６の先端面（液体供給路３１１が開口する開口面）と略同じ面積で設けられている。また、フィルター３１７は、取付部３１６の先端面に熱溶着や接着剤を介した接着等により固定されている。本実施形態では、フィルター３１７は、取付部３１６の先端面に熱溶着によって固定されている。
【００２４】
また、液体供給路３１１は、フィルター３１７よりも下流にバッファー室３１８が設けられている。バッファー室３１８は、ヘッド本体４０側の液体供給路３１１よりも広い開口を有し、フィルター３１７側から平面視した際の幅（直径）が深さ方向（流路部材３０とヘッド本体４０との積層方向）に略同じ大きさで設けられている。本実施形態では、バッファー室の開口が略真円となるように形成した。また、バッファー室３１８の底面、すなわち、フィルター３１７とは反対側の壁面は、フィルター３１７からの距離がフィルター３１７の面方向において略同じ距離で設けられている。このようなバッファー室３１８の底面には、下流側の液体供給路３１１が開口している。この下流側の液体供給路３１１は、本実施形態では、フィルター３１７の中心に配置されており、その開口縁部は面取りされている。
【００２５】
また、バッファー室３１８とフィルター３１７との間には、バッファー室３１８の少なくとも下流の液体供給路３１１からの距離が遠い領域に、バッファー室３１８よりもフィルター３１７までの距離が近い壁面３１９ａによって画成された気泡排出部３１９が設けられている。すなわち、気泡排出部３１９は、フィルター３１７の面方向において、バッファー室３１８の幅よりも幅広となるように設けられている。
【００２６】
本実施形態では、バッファー室３１８が略真円形状の開口形状を有し、且つ下流側の液体供給路３１１がバッファー室３１８の中央部に設けられているため、バッファー室３１８の周側面は、周方向に亘って下流の液体供給路３１１（開口）から略同じ距離となっている。したがって、気泡排出部３１９は、本実施形態では、バッファー室３１８の周方向に亘って連続して設けられている。なお、気泡排出部３１９は、フィルター３１７との隙間を狭める壁面３１９ａによって気泡排出部３１９を通過するインクの流速を速めるためのものである。すなわち、気泡排出部３１９は、バッファー室３１８に開口する液体供給路３１１の開口から遠い位置で流速が遅くなる領域に設けることで、流速を速めて気泡排出性を向上するものである。したがって、バッファー室３１８の開口形状が楕円形状である場合などには、気泡排出部３１９は、少なくとも下流側の液体供給路３１１から最も離れた位置に設ければよく、例えば、開口が楕円のバッファー室３１８の長軸の両端側のみに気泡排出部３１９を設けるようにしてもよい。また、バッファー室３１８の底面に開口する液体供給路３１１の開口がバッファー室３１８の中心からずれた位置に設けられている場合には、気泡排出部３１９は、少なくとも下流側の液体供給路３１１から最も離れた位置に設ければよい。
【００２７】
このような気泡排出部３１９は、フィルター３１７との距離がバッファー室３１８よりも近い壁面３１９ａによって画成されている。なお、フィルター３１７と壁面３１９ａとの距離とは、図２（ｂ）に示すように、フィルター３１７の面方向に直交する方向の距離である。また、気泡排出部３１９を画成する壁面３１９ａは、フィルター３１７との距離がフィルター３１７の面方向において略同じ距離となるように設けられている。これにより、気泡排出部３１９を通過するインク（液体）の流速を早めると共に気泡排出部３１９の容積をできるだけ増大させて、フィルター３１７を介するインクの蒸発による増粘を抑制することができる。
【００２８】
このように、フィルター３１７の下流側に容積の大きなバッファー室３１８を設けることで、フィルター３１７から蒸発する水分によって、フィルター３１７直下のインクが増粘して、ゲル化又は固着してしまうのを抑制することができる。すなわち、フィルター３１７の下流に保持されたインク量が少ないと、フィルター３１７から蒸発した水分によってフィルター３１７の下流に保持されたインクが短時間で増粘してしまう。特にインクとして顔料インクを用いた場合には、増粘によって短時間でゲル化又は固着してしまう。本実施形態では、フィルター３１７の下流にバッファー室３１８を設けることによって、フィルター３１７の下流に保持されるインク量を増大させることができるため、フィルター３１７を介して水分が蒸発しても、フィルター３１７の下流に保持されたインクが短時間で増粘するのを抑制することができ、ゲル化又は固着するまでの時間を長くすることができる。
【００２９】
また、バッファー室３１８は、フィルター３１７からの距離をフィルター３１７の面方向で略同じ距離とすることで、当該バッファー室３１８の容積を確保することができるが、バッファー室３１８の底面の液体供給路３１１の開口からの距離が遠い領域のインク（液体）の流速が低下してしまう。本実施形態では、バッファー室３１８とフィルター３１７との間に壁面３１９ａで画成された気泡排出部３１９を設けることで、壁面３１９ａとフィルター３１７との距離を短くして、気泡排出部３１９を通過するインク（液体）の流速を速くすることができる。したがって、下流の液体供給路３１１よりも遠い位置の流速を早くして、気泡の排出性を向上することができる。
【００３０】
ちなみに、上述のように気泡排出部３１９を設けずに、バッファー室３１８のみを設けた場合、バッファー室３１８によってフィルター３１７と当該フィルター３１７に相対向するバッファー室３１８の壁面との距離が遠く、液体供給路３１１（バッファー室３１８の開口）から離れた位置でインクの流速が遅くなってしまう。このため、フィルター３１７を通過した気泡が、液体供給路３１１から遠い位置に滞留し、滞留した気泡が成長して、成長した気泡が予期せぬタイミングでヘッド本体４０側に流れてドット抜け等の不具合が発生してしまう。本実施形態では、気泡排出部３１９を設けることで、ヘッド本体４０のノズル開口（図示なし）等からインクを吸引するクリーニング動作等を行った際に、気泡排出部３１９を流れるインクの流速を速めて、気泡を確実に排出させることができ、気泡の滞留によるドット抜け等の不具合を抑制することができる。
【００３１】
また、このようなフィルター３１７が設けられた取付部３１６の周囲には円環状のシール用溝部３２０が設けられており、このシール用溝部３２０内にシール部材３３０が設けられている。
【００３２】
ここで、シール部材３３０について図３を参照して詳細に説明する。なお、図３は、シール部材を示す斜視図である。
【００３３】
図３に示すように、シール部材３３０は、ゴムやエラストマーなどの可撓性材料で形成されており、平板状の第１シール部３３１と、円筒形状を有する第２シール部３３２と、第２シール部３３２よりも大きな内径を有する円筒形状の第３シール部３３３と、を具備する。
【００３４】
第２シール部３３２は、取付部３１６の周囲に嵌合する円筒形状を有する。また、第３シール部３３３は、第２シール部３３２よりも大きな内径を有する円筒形状を有する。そして、第１シール部３３１は第２シール部３３２の一端部と一体的に接続されている。また、第１シール部３３１は、外周で第３シール部３３３の一端部と一体的に接続されている。すなわち、シール部材３３０は、流路部材本体３１０側に向かって開口するＣ字形状を有する。
【００３５】
なお、本実施形態では、第２シール部３３２は、取付部３１６の外周にほぼ密着する大きさの内径を有する。また、第３シール部３３３は、取付部３１６の周囲に設けられたシール用溝部３２０よりも若干小さな外径を有する。
【００３６】
このようなシール部材３３０は、取付部３１６の外周に嵌合して取り付けられる。このとき、第１シール部３３１は、第２シール部３３２の上端（インクカートリッジ２０側の端部）と第３シール部３３３の上端とに支持されるため、第１シール部３３１はインクカートリッジ２０からの押圧によって第２シール部３３２と第３シール部３３３との間で流路部材本体３１０側に向かって凸となるように撓み変形し易くなっている。
【００３７】
ここで、流路部材３０に着脱されるインクカートリッジ２０は、図１及び図２に示すように、内部にインク（液体）が貯留された中空箱形状を有する。
【００３８】
また、インクカートリッジ２０の底面には、円筒形状のリブ２１が設けられており、リブ２１の内部には、インクカートリッジ２０の内部のインクを流路部材３０に供給する供給口２２が設けられている。この供給口２２の内部には、供給部２３が設けられている。供給部２３は、流路部材３０のフィルター３１７に圧接して、インクカートリッジ２０内のインクを流路部材３０の液体供給路３１１に供給するためのものである。このような供給部２３としては、例えば、綿状パルプ、高分子吸水ポリマー、ウレタンフォーム等の多孔質材料や不織布などを用いることができる。
【００３９】
また、インクカートリッジ２０には、流路部材本体３１０の壁部３１３に設けられた第１係合穴３１４に挿入される第１係合爪２４と、第１係合爪２４とは反対面側に設けられて流路部材本体３１０の壁部３１３に設けられた第２係合穴３１５に挿入される第２係合爪２５とが設けられている。
【００４０】
第２係合爪２５は、インクカートリッジ２０の側面の供給部２３側に一端部が固定されて、他端部側が自由端となるように、インクカートリッジ２０に一体的に形成されたものである。これにより、第２係合爪２５は、インクカートリッジ２０の側面に向かって弾性変形可能となっている。
【００４１】
ここで、流路部材３０にインクカートリッジ２０を装着する方法について図４を参照して詳細に説明する。なお、図４は、本発明の実施形態１に係るインクカートリッジを流路部材に装着する方法を示す断面図である。
【００４２】
まず、図４（ａ）に示すように、インクカートリッジ２０の第１係合爪２４側を先に流路部材本体３１０の壁部３１３の内部に斜めに挿入し、第１係合爪２４を第１係合穴３１４に挿入する。
【００４３】
次に、図４（ｂ）に示すように、インクカートリッジ２０の第１係合爪２４を第１係合穴３１４に挿入した状態で、第１係合爪２４を支点としてインクカートリッジ２０を回転させることで、インクカートリッジ２０を壁部３１３の内部に挿入する。このとき、第２係合爪２５は、流路部材本体３１０の壁部３１３に押圧されて弾性変形するため、インクカートリッジ２０を壁部３１３内部に挿入するのを阻害することがない。そして、インクカートリッジ２０の第２係合爪２５が、第２係合穴３１５内に挿入されることで、第２係合爪２５は第２係合穴３１５に係合し、インクカートリッジ２０はカートリッジ装着部３１２に装着される。このとき、インクカートリッジ２０のリブ２１がシール部材３３０の第１シール部３３１に当接し、第１シール部３３１は第２シール部３３２と第３シール部３３３との間で流路部材本体３１０側に向かって凸となるように撓み変形させて、リブ２１の内部が封止される（図２参照）。
【００４４】
なお、このような流路部材３０のカートリッジ装着部３１２とは反対面側にはヘッド本体４０が固定される。
【００４５】
ヘッド本体４０は、流路部材３０に固定される面とは反対側に、液体としてインク滴を吐出するノズルが開口する液体噴射面が設けられている。また、ヘッド本体４０の図示しない内部にはノズルに連通すると共に流路部材３０の流路に連通する液体流路と、液体流路内のインクに圧力変化を生じさせる圧力発生手段等が設けられている。かかる圧力発生手段としては、例えば、電気機械変換機能を呈する圧電材料を有する圧電アクチュエーターの変形によって液体流路の容積を変化させて液体流路内のインクに圧力変化を生じさてノズルからインク滴を吐出させるものや、液体流路内に発熱素子を配置して、発熱素子の発熱で発生するバブルによってノズルからインク滴を吐出するものや、振動板と電極との間に静電気力を発生させて、静電気力によって振動板を変形させてノズルからインク滴を吐出させるいわゆる静電式アクチュエーターなどを使用することができる。
【００４６】
このようなインクジェット式記録ヘッド１０では、インクカートリッジ２０からのインクを流路部材３０を介してヘッド本体４０に供給し、圧力発生手段によって液体流路内のインクに圧力変化を生じさせることで、ノズルからインク滴が吐出される。
【００４７】
以上説明したように、液体供給路３１１のフィルター３１７側にバッファー室３１８を設けることで、インクカートリッジ２０を取り外した状態であっても、フィルター３１７から蒸発する水分によって、バッファー室３１８及び気泡排出部３１９内のインクが短時間で増粘するのを抑制することができる。すなわち、バッファー室３１８を設けることによって、フィルター３１７の下流の空間の容積を大きくすることができるため、フィルター３１７を介して水分が蒸発したとしても、インク量が多いことから増粘によりゲル化や固着するまでの時間を長くすることができる。また、バッファー室３１８を設けることによって、フィルター３１７の下流の液体供給路３１１から遠い領域の気泡排出性が低下するが、本実施形態では、フィルター３１７とバッファー室３１８との間に気泡排出部３１９を設けることによって、フィルター３１７の下流の気泡排出性が低下するのを抑制して、ドット抜け等の不具合が発生するのを抑制することができる。
【００４８】
（他の実施形態）
以上、本発明の一実施形態について説明したが、本発明の基本的構成は上述した物に限定されるものではない。
【００４９】
例えば、上述した実施形態１では、気泡排出部３１９を画成する壁面３１９ａが、フィルター３１７の面方向で、フィルター３１７からの距離が略同じ距離となるようにしたが、特にこれに限定されず、例えば、壁面３１９ａがバッファー室３１８の底面に開口する液体供給路３１１に向かってフィルター３１７からの距離が徐々に広がるようにしてもよい。すなわち、壁面３１９ａが液体供給路３１１の開口に向かって傾斜して設けられていてもよい。なお、バッファー室３１８の底面（フィルター３１７に相対向する液体供給路３１１が開口する面）についても同様に、液体供給路３１１の開口に向かって傾斜して設けられていてもよい。
【００５０】
また、上述した実施形態１では、シール部材３３０として、第１シール部３３１と第２シール部３３２と第３シール部３３３とで構成された一方面に開口する中空部材を例示したが、特にこれに限定されず、例えば、シール部材として、中実部材を用いるようにしてもよく、その形状は特に限定されるものではない。
【００５１】
さらに、上述した一実施形態のインクジェット式記録ヘッド１０は、インクカートリッジ等と連通するインク流路を具備するインクジェット式記録ヘッドユニットの一部を構成して、インクジェット式記録装置に搭載される。図５は、そのインクジェット式記録装置の一例を示す概略図である。
【００５２】
図５に示すインクジェット式記録装置Ｉにおいて、複数のインクジェット式記録ヘッド１０は、インク供給手段を構成するインクカートリッジ２０が着脱可能に設けられ、このインクジェット式記録ヘッド１０を搭載したキャリッジ３は、装置本体４に取り付けられたキャリッジ軸５に軸方向移動可能に設けられている。このインクジェット式記録ヘッド１０は、例えば、ブラックインク組成物及びカラーインク組成物を吐出するものとしている。
【００５３】
そして、駆動モーター６の駆動力が図示しない複数の歯車およびタイミングベルト７を介してキャリッジ３に伝達されることで、インクジェット式記録ヘッド１０を搭載したキャリッジ３はキャリッジ軸５に沿って移動される。一方、装置本体４にはキャリッジ軸５に沿ってプラテン８が設けられており、図示しない給紙ローラーなどにより給紙された紙等の記録媒体である記録シートＳがプラテン８に巻き掛けられて搬送されるようになっている。
【００５４】
さらに、上述した例では、流路部材３０を具備するインクジェット式記録ヘッド１０について説明したが、インクジェット式記録ヘッド１０以外の部分に流路部材３０が設けられたインクジェット式記録装置にも本発明を適用することができる。具体的には、インクが貯留された液体貯留手段であるインクタンクが、キャリッジ３に搭載されずに、装置本体４に固定されて、インクタンクとヘッド本体４０とをチューブ状の供給管で接続するインクジェット式記録装置の場合、例えば、インクタンクを設置する場所に上述した流路部材３０が設けられていてもよい。
【００５５】
また、上述したインクジェット式記録装置Ｉでは、インクジェット式記録ヘッド１０がキャリッジ３に搭載されて主走査方向に移動するものを例示したが、特にこれに限定されず、例えば、インクジェット式記録ヘッド１０が固定されて、紙等の記録シートＳを副走査方向に移動させるだけで印刷を行う、所謂ライン式記録装置にも本発明を適用することができる。
【００５６】
さらに、本発明は、広く液体噴射ヘッド全般の製造方法を対象としたものであり、例えば、プリンター等の画像記録装置に用いられる各種のインクジェット式記録ヘッド等の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等の製造方法にも適用することができる。
【００５７】
また、本発明は液体噴射ヘッド及び液体噴射装置に搭載される流路部材に限定されず、その他のデバイスに搭載される流路部材についても適用可能である。
【符号の説明】
【００５８】
Ｉ  インクジェット式記録装置（液体噴射装置）、  １０  インクジェット式記録ヘッド（液体噴射ヘッド）、  ２０  インクカートリッジ（液体貯留手段）、  ２３  供給部、  ３０  流路部材、  ４０  ヘッド本体、  ３１０  流路部材本体、  ３１１  液体流路、  ３１２  カートリッジ装着部、  ３１６  取付部、  ３１７  フィルター、  ３１８  バッファー室、  ３１９  気泡排出部、  ３１９ａ  壁面、  ３３０  シール部材、  ３３１  第１シール部、  ３３２  第２シール部、  ３３３  第３シール部
【図１】
2014012370.tif 000003
【図２】
2014012370.tif 000004
【図３】
2014012370.tif 000005
【図４】
2014012370.tif 000006
【図５】
2014012370.tif 000007